【手続補正書】
【提出日】平成21年6月9日(2009.6.9)
【手続補正１】
【補正対象書類名】特許請求の範囲
【補正対象項目名】全文
【補正方法】変更
【補正の内容】
【特許請求の範囲】
【請求項１】
コンベヤーに沿って容器の通路を潤滑する方法であって、潤滑剤組成物を該コンベヤーの容器接触面の少なくとも一部に又は該容器のコンベヤー接触面の少なくとも一部に施用することを含み、しかも該潤滑剤組成物は約０．０００５ｗｔ％から約５．０ｗｔ％の水混和性シリコーン物質を含み、該潤滑剤組成物と該容器の間の接触角は約６０度より小さい方法。
【請求項２】
容器が、ポリエチレンテレフタレート、ポリエチレンナフタレート及びビスフェノールＡカーボネートの群から選択された１種又はそれ以上のポリマーを含む、請求項１に記載の方法。
【請求項３】
潤滑剤組成物とポリエチレンテレフタレートの間の接触角が、約４０度より小さい、請求項１に記載の方法。
【請求項４】
潤滑剤組成物が、更に、約０．０２ｗｔ％から約０．３０ｗｔ％の少なくとも１種の湿潤剤を含む、請求項１に記載の方法。
【請求項５】
潤滑剤組成物が、更に、約０．０１ｗｔ％から約０．５０ｗｔ％の少なくとも１種の湿潤剤を含み、その湿潤剤が、脂肪アミン、アルコールエトキシレート及びそれらの混合物から成る群から選択される、請求項１に記載の方法。
【請求項６】
コンベヤーに沿って容器の通路を潤滑する方法であって、潤滑剤組成物を該コンベヤーの容器接触面の少なくとも一部に又は該容器のコンベヤー接触面の少なくとも一部に施用することを含み、しかも該潤滑剤組成物は約０．０００５％から約５．０％の水混和性シリコーン物質を含み、しかも該潤滑剤組成物は、ポリエチレンテレフタレートフィルム上に約１４ミクロンの未乾燥被膜厚でもって被覆されそして乾燥される場合、表面の約３０％より大を覆う実質的に連続的な被膜を形成する方法であって、潤滑剤組成物が、ポリエチレンテレフタレートフィルム上に約１４ミクロンの未乾燥被膜厚でもって被覆されそして乾燥される場合、表面の約７０％より大を覆う実質的に連続的な被膜を形成する、方法。
【手続補正２】
【補正対象書類名】明細書
【補正対象項目名】０１２４
【補正方法】変更
【補正の内容】
【０１２４】
本発明の様々な改変及び変更が、本発明の範囲及び精神から逸脱することなしに当業者に明らかであり、そして添付の請求項の範囲内にあるよう意図されている。
以下に、本願発明に関連する発明の実施の形態を列挙する。
実施形態１
コンベヤーに沿って容器の通路を潤滑する方法であって、潤滑剤組成物を該コンベヤーの容器接触面の少なくとも一部に又は該容器のコンベヤー接触面の少なくとも一部に施用することを含み、しかも該潤滑剤組成物は約０．０００５ｗｔ％から約５．０ｗｔ％の水混和性シリコーン物質を含み、該潤滑剤組成物と該容器の間の接触角は約６０度より小さい方法。
実施形態２
シリコーン物質が、シリコーン乳濁液、微細シリコーン粉末及びシリコーン界面活性剤から成る群から選択される、実施形態１に記載の方法。
実施形態３
潤滑剤組成物が、更に、水混和性潤滑剤、親水性希釈剤、抗微生物剤、安定／カップリング剤、清浄剤／分散剤、抗摩耗剤、粘度調整剤、金属イオン封鎖剤、腐食抑制剤及びそれらの混合物の群から選択された１つ又はそれ以上の機能成分を含む、実施形態１に記載の方法。
実施形態４
潤滑剤組成物が、約０．００２ｗｔ％から約０．５ｗｔ％の水混和性シリコーン物質を含む、実施形態１に記載の方法。
実施形態５
容器が、ポリエチレンテレフタレート、ポリエチレンナフタレート及びビスフェノールＡカーボネートの群から選択された１種又はそれ以上のポリマーを含む、実施形態１に記載の方法。
実施形態６
潤滑剤組成物とポリエチレンテレフタレートの間の接触角が、約５０度より小さい、実施形態１に記載の方法。
実施形態７
潤滑剤組成物とポリエチレンテレフタレートの間の接触角が、約４０度より小さい、実施形態１に記載の方法。
実施形態８
潤滑剤組成物をある期間施用しそしてある期間中断し、しかも施用期間対中断期間の比率が少なくとも１：１である、実施形態１に記載の方法。
実施形態９
潤滑剤組成物が、更に、約０．０１ｗｔ％から約０．５０ｗｔ％の少なくとも１種の湿潤剤を含む、実施形態１に記載の方法。
実施形態１０
潤滑剤組成物が、更に、約０．０２ｗｔ％から約０．３０ｗｔ％の少なくとも１種の湿潤剤を含む、実施形態１に記載の方法。
実施形態１１
湿潤剤が、脂肪アミン、アルコールエトキシレート及びそれらの混合物から成る群から選択される、実施形態９に記載の方法。
実施形態１２
コンベヤーに沿って容器の通路を潤滑する方法であって、潤滑剤組成物を該コンベヤーの容器接触面の少なくとも一部に又は該容器のコンベヤー接触面の少なくとも一部に施用することを含み、しかも該潤滑剤組成物は約０．０００５％から約５．０％の水混和性シリコーン物質を含み、しかも該潤滑剤組成物は、ポリエチレンテレフタレートフィルム上に約１４ミクロンの未乾燥被膜厚でもって被覆されそして乾燥される場合、表面の約３０％より大を覆う実質的に連続的な被膜を形成する方法。
実施形態１３
シリコーン物質が、シリコーン乳濁液、微細シリコーン粉末及びシリコーン界面活性剤から成る群から選択される、実施形態１２に記載の方法。
実施形態１４
潤滑剤組成物が、更に、水混和性潤滑剤、親水性希釈剤、抗微生物剤、安定／カップリング剤、清浄剤／分散剤、抗摩耗剤、粘度調整剤、金属イオン封鎖剤、腐食抑制剤及びそれらの混合物の群から選択された１つ又はそれ以上の機能成分を含む、実施形態１２に記載の方法。
実施形態１５
潤滑剤組成物が、約０．００２ｗｔ％から約０．５ｗｔ％の水混和性シリコーン潤滑剤を含む、実施形態１２に記載の方法。
実施形態１６
容器が、ポリエチレンテレフタレート、ポリエチレンナフタレート及びビスフェノールＡカーボネートの群から選択された１種又はそれ以上のポリマーを含む、実施形態１２に記載の方法。
実施形態１７
潤滑剤組成物が、ポリエチレンテレフタレートフィルム上に約１４ミクロンの未乾燥被膜厚でもって被覆されそして乾燥される場合、表面の約５０％より大を覆う実質的に連続的な被膜を形成する、実施形態１２に記載の方法。
実施形態１８
潤滑剤組成物が、ポリエチレンテレフタレートフィルム上に約１４ミクロンの未乾燥被膜厚でもって被覆されそして乾燥される場合、表面の約７０％より大を覆う実質的に連続的な被膜を形成する、実施形態１２に記載の方法。
実施形態１９
潤滑剤組成物をある期間施用しそしてある期間中断し、しかも施用期間対中断期間の比率が少なくとも１：１である、実施形態１２に記載の方法。
実施形態２０
潤滑剤組成物が、更に、約０．０１ｗｔ％から約０．５０ｗｔ％の少なくとも１種の湿潤剤を含む、実施形態１２に記載の方法。
実施形態２１
潤滑剤組成物が、約０．０２ｗｔ％から約０．３０ｗｔ％の少なくとも１種の湿潤剤を含む、実施形態１２に記載の方法。
実施形態２２
湿潤剤が、脂肪アミン、アルコールエトキシレート及びそれらの混合物から成る群から選択される、実施形態２０に記載の方法。
実施形態２３
コンベヤーに沿って容器の通路を潤滑する方法であって、潤滑剤組成物を該コンベヤーの容器接触面の少なくとも一部に又は該容器のコンベヤー接触面の少なくとも一部に施用することを含み、しかも該潤滑剤組成物は約０．０００５ｗｔ％から約５．０ｗｔ％の水混和性シリコーン物質を含み、該組成物についての泡プロフィールは約１．１より大きい方法。
実施形態２４
シリコーン物質が、シリコーン乳濁液、微細シリコーン粉末及びシリコーン界面活性剤から成る群から選択される、実施形態２３に記載の方法。
実施形態２５
潤滑剤組成物が、更に、水混和性潤滑剤、親水性希釈剤、抗微生物剤、安定／カップリング剤、清浄剤／分散剤、抗摩耗剤、粘度調整剤、金属イオン封鎖剤、腐食抑制剤及びそれらの混合物の群から選択された１つ又はそれ以上の機能成分を含む、実施形態２３に記載の方法。
実施形態２６
潤滑剤組成物が、約０．００２ｗｔ％から約０．５ｗｔ％の水混和性シリコーン物質を含む、実施形態２３に記載の方法。
実施形態２７
容器が、ポリエチレンテレフタレート、ポリエチレンナフタレート及びビスフェノールＡカーボネートの群から選択された１種又はそれ以上のポリマーを含む、実施形態２３に記載の方法。
実施形態２８
組成物についての泡プロフィールが、約１．３より大きい、実施形態２３に記載の方法。
実施形態２９
組成物についての泡プロフィールが、約１．５より大きい、実施形態２３に記載の方法。
実施形態３０
潤滑剤組成物をある期間施用しそしてある期間中断し、しかも施用期間対中断期間の比率が少なくとも１：１である、実施形態２３に記載の方法。
実施形態３１
潤滑剤組成物が、更に、約０．０１ｗｔ％から約０．５０ｗｔ％の少なくとも１種の湿潤剤を含む、実施形態２３に記載の方法。
実施形態３２
潤滑剤組成物が、更に、約０．０２ｗｔ％から約０．３０ｗｔ％の少なくとも１種の湿潤剤を含む、実施形態２３に記載の方法。
実施形態３３
湿潤剤が、脂肪アミン、アルコールエトキシレート及びそれらの混合物から成る群から選択される、実施形態２３に記載の方法。